(57)【要約】【課題】  パチンコ台の新台入れ替え作業に伴うパチンコ台の釘調整を可及的に少ない調整員により、かつ、個人技に偏ることなく調整するための調整方法、および装置を得んとするものである。【解決手段】  複数の被調整台を幅方向へ並べて支持可能な台枠を設け、その台枠に支持されたパチンコ台の前面に長手方向に沿って複数の調整員を配し、各調整員の前面に移動させたパチンコ台に対し、前記各調整員に特定の調整域の調整を担当させて行うものである。【選択図】図１
2006102028.tif 000002
【特許請求の範囲】
【請求項１】
複数の被調整台を幅方向へ並べて支持可能な台枠を設け、その台枠に支持された被調整台の前面に長手方向に沿って複数の調整員を配し、各調整員の前面に移動させた被調整台に対し、前記各調整員に特定の調整域の調整を担当させるパチンコ台の調整方法。
【請求項２】
横長の台枠の上に長手方向に沿って配したローラコンベアを設け、前記台枠の上部後方に前記ローラコンベアと平行に配置された受け枠を設けるとともに、その受け枠に被調整台のクランプ手段を設けてなるパチンコ台の調整装置。  
【請求項３】
請求項２において、前記ローラコンベアをなすローラの一部はばねによって上方へ弾発され、前記被調整台を弾性的に支持可能に構成してなるパチンコ台の調整装置。
【発明の詳細な説明】
【技術分野】
【０００１】
本発明は、パチンコ台の調整方法と、その調整のために使用する装置に関するもので、特に、パチンコ台の新台入れ替え作業を効率的に行うためのものに関する。
【背景技術】
【０００２】
パチンコ店は営業時間が長いため、新台の入れ替えや、据付時の釘の調整を行う作業を深夜から早朝にかけての短時間の間に終了する必要があった。しかも、この作業は、新旧台の入替作業に大きな時間を割かれるため、残された僅かの時間内に据付時の釘の調整を完了することが求められていた。
【０００３】
しかしながら、短時間のうちに釘の調整を行うには熟練した調整員、いわゆる釘師を一時的に大勢投入する必要があり、人件費を増大させる一因となっていた。
【０００４】
このような調整を最少にするには、工場でパチンコ台を生産する際に、調整精度を上げれば足りるとの見方もあるが、工場で多量生産される台は全て均質に生産されるので、店ごとの営業方針に従った出玉率に味付けするための精密調整は、台ごとに個別に行わざるを得ない背景がある。
【発明の開示】
【発明が解決しようとする課題】
【０００５】
解決しようとする問題点は、上記のように熟練した調整員の多数を投入して短時間で釘の調整を行う従来の方法が、熟練した調整員の多数を集めることに困難がある他、労働単価の高い深夜あるいは早朝の時間帯に多くの調整を行うため入替作業に要する人件費割合が著増する点にある。また、大勢の調整員で調整するために、多数の台の出玉率を整合させたり、調整員個人の恣意的な調節を避けることが難しくなる点にある。
【課題を解決するための手段】
【０００６】
本発明は調整方法として、複数の被調整台を幅方向へ並べて支持可能な台枠を設け、その台枠に支持された被調整台の前面に長手方向に沿って複数の調整員を配し、各調整員の前面に移動させた被調整台に対し、前記各調整員に特定の調整域の調整を担当させるよう構成することを、また、調整装置として、横長の台枠の上に長手方向に沿って配したローラコンベアを設け、前記台枠の上部後方に前記ローラコンベアと平行に配置された受け枠を設けるとともに、その受け枠に被調整台のクランプ手段を設けることを最も主要な特徴とする。
【発明の効果】
【０００７】
本発明に係るパチンコ台の調整方法と装置によれば、調整員の一人一人が遊戯面の全てを調整をする必要がなく、調整すべき部分の一部のみを担当すれば足りるから、全体を調整できる能力を備えた高度に熟練した調整員が少なくて済む。また、各調整員の受持ち範囲が小さくなるから、恣意的な調整を回避することができる利点がある。
【発明を実施するための最良の形態】
【０００８】
雇用の容易な錬度の低い調整員によるパチンコ台の調整を、入替の効率や、店固有の味付けなど、営業上の特徴を損うことなく実現した。
【実施例１】
【０００９】
以下、本発明を図示の実施例によって説明する。図１、図２中、１０は被調整台たるパチンコ台１５の調整装置である。調整装置１０は台枠１１と、その台枠１１に床から離して支持された同じく市販の板枠１２とを有する。台枠１１は市販の合成樹脂管からなる長短の縦管１１ａ、１１ｂを横管１１ｃによって連結して構成されている。
【００１０】
１４は前記台枠１１の前面に並べられた調整員のための椅子である。椅子１４も市販品であり、この例では４個が置かれているが、この数は発明の構成上必須の要件ではなく、前記板枠１２を立ち作業できる位置まで高くして省略することもある。このように、調整装置１０の骨格をなす台枠１１と板枠１２、および椅子１４などは材料の入手が容易である市販品を寄せ集めて構成してある。
【００１１】
前記台枠１１には前記パチンコ台１５を支持し、それを水平方向へ移動させるためのローラコンベア１６と、その上方に位置してパチンコ台１５の上部後面を支承し、略鉛直方向に立てて支持するため、水平方向の合成樹脂管からなる摺動ガイド１８とが設けられている。
【００１２】
ローラコンベア１６は前記板枠１２上に固定されており、６台のパチンコ台１５が載せられる長さに設定されている。ローラコンベア１６の断面形状は図５で示すように、鋼板を折り曲げて断面をL形にした２枚の外側取付板１７、１７と、それらの間に介在させた角形鋼管１９との間に、鋼板を屈曲して作った支持枠１６ａによって支持された合成樹脂製のローラ１６ｂの２個を軸方向に並べ、２列のローラ列が作ってある。
【００１３】
前記支持枠１６ａは昇降可能に支持された溝形鋼１６ｃの上に固定されており、その溝形鋼１６ｃは板枠１２との間に介装したばね２０によって上方へ弾発されている。かくて、ローラコンベア１６は、その上に載せられたパチンコ台１５が後述するクランプ２２によって下方へ押圧されるとき、ばね２０の弾力に抗して若干沈み、以後、その弾力によってパチンコ台１５をクランプ２２の押圧面へ押し付けて不動に固定するようになっている。
【００１４】
前記摺動ガイド１８は台枠１１の上部に、ローラコンベア１６の上部後方に位置して設けられており、ローラコンベア１６の上に載せられたパチンコ台１５が僅かに後方へ倒れた姿勢で保持される構成となっている。
【００１５】
２２は前記上部台枠１１に取り付けられたクランプである。クランプ２２はパチンコ台１５をローラコンベア１６上へ押し付けて移動しないように固定するものであり、ローラコンベア１６の上に載せ得るパチンコ台１５のうち、中央の４台が載るべき位置に設けられている。この位置は調整員による調整位置であり、クランプ２２はカム機構、トグル機構など大きな押圧力の得られる機構を用いた市販の押圧手段がそのまま利用されている。
【００１６】
２４は照明灯である。照明灯２４は背面をカバーで覆われた棒形の蛍光灯からなり、前記パチンコ台１５の遊戯面を照明し、釘調整を容易にするべく設けられている。
【００１７】
この実施例によれば、パチンコ台１５をローラコンベア１６の一端に載せ、その上部背面を摺動ガイド１８で支えると、パチンコ台１５は僅かに後方へ傾いた概ね垂直な状態に保持される。製造会社から送られたパチンコ台１５は、まず、ローラコンベア１６の一端に載せられるが、この位置にはクランプ２２がないため、一側から他側へ自由に移動できる状態で保持される。また、他端にもクランプ２２がないため、この位置へ移動されたパチンコ台１５は自由に降ろして、店内の所定位置へ移動させることができる。
【００１８】
次に、調整装置１０の使用法を説明する。工場から運ばれてくるパチンコ台１５はローラコンベア１６の一端に載せられ、図３、図４中を、手で押して右から左へと送られる。ローラコンベア１６には６個のステーション（Ｉ〜ＶＩ）が設定されており、最初の１個（Ｉ）と最後の１個（ＶＩ）は載せたり降ろしたりする作業の便宜のためのもの、また、それらの間の４個（ＩＩ〜Ｖ）のステーションが調整用として準備されている。  
【００１９】
まず、最初のステーション（Ｉ）に載せられたパチンコ台１５は、前面のガラス蓋（図示してない）を開き、多数の釘が打たれた遊戯面を前面に出して調整作業の準備をする。そして、手で押して次のステーション（ＩＩ）へ移動させる。
【００２０】
パチンコ台１５がステーション（ＩＩ）へ移動したところで、クランプ２２によって、その位置に不動に位置決めされる。パチンコ台１５は、この位置で遊戯面のおよそ１／４に相当する（Ａ）の部分が、調整員により粗調整され、調整が済んだところでクランプ２２による固定を外し、手で押して次のステーション（ＩＩＩ）へ移動させる。
【００２１】
このようにして、ステーション（ＩＩＩ）、（ＩＶ）および、（Ｖ）において遊戯面のおよそ１／４づつの位置（Ｂ）、（Ｃ）、（Ｄ）の調整が済むと、パチンコ台１５は取り出し用のステーション（ＶＩ）から、店内の所定の位置へ移され、遊戯面の全面と店内の他のパチンコ台１５間との精密調整を行って営業に供される。  
【産業上の利用可能性】
【００２２】
この発明はパチンコ台に限らず、同様の大きさの筐体を持つ遊戯機械の調整にも適用できる。
【図面の簡単な説明】
【００２３】
【図１】パチンコ台の調整装置を示す外観図である。
【図２】側面図である。
【図３】正面図である。
【図４】調整行程を示す正面図である。
【図５】図３中のＶ−Ｖ断面図である。
【符号の説明】
【００２４】
１０    パチンコ台の調整装置
１１    台枠
１１ａ  長い縦管
１１ｂ  短い縦管
１１ｃ  横管
１２    板枠
１４    椅子
１５    被調整台（パチンコ台）
１６    ローラコンベア
１６ａ  支持枠
１６ｂ  ローラ
１６ｃ  溝形鋼
１７    外側取付板
１８    摺動ガイド
１９    角形鋼管
２０    ばね
２２    クランプ
２４    照明灯
【図１】
2006102028.tif 000003
【図２】
2006102028.tif 000004
【図３】
2006102028.tif 000005
【図４】
2006102028.tif 000006
【図５】
2006102028.tif 000007